(57)【要約】【課題】端子ピンや信号線によって形成されている信号路を、従来は廃材処理されていた捨て基板を利用して形成することができるスプリッターとチューナ基板との結線構造を提供する。【解決手段】チューナ１０に接続されたスプリッター２０とチューナ基板３０とが信号路によって電気的接続されている。信号路を、チューナ基板３０に立ち上げた印刷配線基板４０の導体によって形成する。印刷配線基板４０の下端が、チューナ基板３０に実装したコネクタ５０に差し込まれている。スプリッター２０から突き出た電極端子２５が印刷配線基板４０の導体に接続されている。印刷配線基板４０は、捨て基板によって形成することが可能である。【選択図】図１
2012004945.tif 000002
【特許請求の範囲】
【請求項１】
チューナに接続されたスプリッターと上記チューナが実装されているチューナ基板とが信号路によって電気的接続されているスプリッターとチューナ基板との結線構造において、
上記信号路が、上記チューナ基板に立ち上げられた印刷配線基板の導体によって形成されていることを特徴とするスプリッターとチューナ基板との結線構造。
【請求項２】
印刷配線基板が上記チューナ基板に実装されたコネクタに差し込まれてその導体が上記チューナ基板の回路に接続され、かつ、上記スプリッターから突き出た電極端子が印刷配線基板に開設された端子挿入孔に差し込まれて上記導体に接続されている請求項１に記載したスプリッターとチューナ基板との結線構造。
【請求項３】
上記印刷配線基板が、上記スプリッターの側部で上記チューナ基板から立ち上げられている請求項２に記載したスプリッターとチューナ基板との結線構造。
【発明の詳細な説明】
【技術分野】
【０００１】
本発明は、スプリッターとチューナ基板との結線構造、詳しくは、チューナに接続されたスプリッターと上記チューナが実装されているチューナ基板とが信号路によって電気的接続されているスプリッターとチューナ基板との結線構造に関する。
【背景技術】
【０００２】
図２に従来例によるスプリッターとチューナ基板との結線構造を示している。同図において、１０はチューナ（たとえばＤ−チューナ）、２０はチューナ１０に接続されたスプリッター、３０はチューナ１０が実装されているチューナ基板である。図例では、２基のチューナ１０，１０がチューナ基板３０に横並び状態で実装され、それぞれのチューナ１０，１０に接続された２基のスプリッター２０，２０が上下２段に亘って配備されている。そして、下段側のスプリッター２０から下方に引き出された複数本の端子ピン２１…がチューナ基板３０に開設されている孔部に挿通されてそのチューナ基板３０のランドに半田付けにて接続されている。また、上段側のスプリッター２０の側面から引き出された複数本の信号線２２…がチューナ基板３０に設けられているコネクタ３１に差し込まれている。
【０００３】
先行例には、チューナとスプリッターとをチューナの端子を利用して接続することが示されている（たとえば、特許文献１参照）。また、前後２段に亘る２つのチューナにＲＦ分配出力端子や接続ピンをプリント基板に接続することが開示されている（たとえば、特許文献２参照）。さらに、ケーブルモデムモジュールの分配出力端子とチューナモジュールのＲＦ入力端子とを直結することによって同軸ケーブルを不要にすることが開示されている（たとえば、特許文献３参照）。さらに、第１の電子チューナの高周波信号の分配された出力と第２の電子チューナの入力とを親プリント基板１１でパターン接続することが示されている（たとえば、特許文献４参照）。
【先行技術文献】
【特許文献】
【０００４】
【特許文献１】特開２００９−１２４２２０号公報
【特許文献２】特開２００７−１２４２４８号公報
【特許文献３】特開２００８−１６０５８５号公報
【特許文献４】特開平１１−３４１３７４号公報
【発明の概要】
【発明が解決しようとする課題】
【０００５】
図２を参照して説明した従来例によるスプリッターとチューナ基板との結線構造では、スプリッター２０，２０の端子ピン２１又は信号線２２が、スプリッター２０，２０とチューナ基板３０とを電気的接続するための信号路を形成している。そのため、信号線２２などが余分に必要になってそれだけコストアップとなる。特に、信号線２２が熱を持つためにその信号線２２に耐熱性の線材を採用することが要求されて、そのことがコストアップを助長する結果となっていた。
【０００６】
本発明は、以上の状況に鑑みてなされたものであり、図２に示した端子ピン２１や信号線２２によって形成されている信号路を、従来は廃材処理されていた捨て基板を利用して形成することができるスプリッターとチューナ基板との結線構造を提供することを目的とする。
【課題を解決するための手段】
【０００７】
本発明に係るスプリッターとチューナ基板との結線構造は、チューナに接続されたスプリッターと上記チューナが実装されているチューナ基板とが信号路によって電気的接続されている。そして、上記信号路が、上記チューナ基板に立ち上げられた印刷配線基板の導体によって形成されている。この構成であると、図２を参照して説明した従来例の端子ピンや信号線に代えて、印刷配線基板の導体が信号路として利用される。そのため、放熱作用が従来例よりも向上するだけでなく、従来例の端子ピンや信号線により形成された信号路に比べて断線しにくくなるという利点がある。その上、印刷配線基板には、従来は廃材処理されていた捨て基板を利用することが可能であるので、それだけコストダウンを達成しやすくなる。
【０００８】
本発明では、印刷配線基板が上記チューナ基板に実装されたコネクタに差し込まれてその導体が上記チューナ基板の回路に接続され、かつ、上記スプリッターから突き出た電極端子が印刷配線基板に開設された端子挿入孔に差し込まれて上記導体に接続されている、という構成を採用することが可能である。また、上記印刷配線基板が、上記スプリッターの側部で上記チューナ基板から立ち上げられている、という構成を採用することも可能である。
【発明の効果】
【０００９】
以上のように、本発明によれば、印刷配線基板の導体が信号路として利用されているために、放熱作用が従来例よりも向上するだけでなく、従来例の端子ピンや信号線により形成された信号路に比べて断線しにくくなる、という効果が奏される。その上、印刷配線基板には、従来は廃材処理されていた捨て基板を利用することが可能であるので、それだけコストダウンを達成しやすくなるという利点がある。
【図面の簡単な説明】
【００１０】
【図１】本発明の実施形態に係るスプリッターとチューナ基板との結線構造を示した概略斜視図である。
【図２】従来例によるスプリッターとチューナ基板との結線構造を示した概略斜視図である。
【発明を実施するための形態】
【００１１】
図１は本発明の実施形態に係るスプリッターとチューナ基板との結線構造を示した概略斜視図である。同図において、１０はチューナ（たとえばＤ−チューナ）、２０はチューナ１０に接続されたスプリッター、３０はチューナ１０が実装されているチューナ基板である。この図例でも、図２に示した従来例と同様に、２基のチューナ１０，１０がチューナ基板３０に横並び状態で実装され、それぞれのチューナ１０，１０に接続された２基のスプリッター２０，２０が上下２段に亘って配備されている。
【００１２】
この実施形態では、２基のスプリッター２０，２０とチューナ基板３０とを電気的接続するための信号路が、チューナ基板３０に立ち上げられた矩形の印刷配線基板４０の導体（不図示）によって形成されている。
【００１３】
さらに具体的には、印刷配線基板４０は、２基のスプリッター２０，２０の側部に配置されている。そして、その印刷配線基板４０がチューナ基板３０に実装されたコネクタ５０に差し込まれていて、その印刷配線基板４０の導体がチューナ基板３０の回路に接続されている。また、２基のスプリッター２０，２０のそれぞれの側面から突き出た複数本ずつの電極端子２５，２６が印刷配線基板４０に開設された端子挿入孔（不図示）に差し込まれて上記導体に接続されている。なお、印刷配線基板４０の導体と電極端子２５，２６とは半田付けにて電気的接続させておくことが可能である。
【００１４】
ところで、信号路を形成している導体を備えた上記印刷配線基板４０は、その板面の面積が広いことなどのために、図２に示した信号線２２に比べると放熱性に優れている。そのため、この実施形態によれば、当該印刷配線基板４０の導体によって形成された信号路の温度上昇の懸念がなくなり、断線のおそれもなくなる。特に、印刷配線基板４０をスプリッター２０，２０の外ケースの側面に重ね合わせて配置しておくと、スプリッター２０，２０の熱も印刷配線基板４０により放熱されて、スプリッター２０，２０の温度上昇の懸念もなくなる。
【００１５】
また、印刷配線基板４０のサイズなどを勘案すると、その印刷配線基板４０に、従来は廃材処理されていた捨て基板を利用することが可能である。したがって、そのような捨て基板を印刷配線基板４０に活用すると、それだけコストダウンが図られることになる。
【００１６】
さらに、上記実施形態では、２基のスプリッター２０，２０をチューナ基板３０に実装する工程で、２基のスプリッター２０，２０の側面に重ね合わせた印刷配線基板４０の下端をチューナ基板３０に実装されているコネクタ５０に差し込むだけの作業で信号路を形成することができるので、の下端を、スプリッター２０とチューナ基板３０との結線処理が容易になるという利点がある。
【符号の説明】
【００１７】
１０  チューナ
２０  スプリッター
２５，２６  電極端子
３０  チューナ基板
４０  印刷配線基板
５０  コネクタ
【図１】
2012004945.tif 000003
【図２】
2012004945.tif 000004